(57)【特許請求の範囲】
【請求項１】
紙製板材からなる一枚のシート基材（１）により折り曲げ組み立てられる箱本体（ａ）と、紙製板材からなる蓋体（ｂ）とで構成され、
箱本体（ａ）は、矩形状の底板（２）と、この底板（２）の四辺から立ち上がる外面板（３，４）と、夫々の外面板（３，４）の上端から内側に折れ曲がる上縁板（５，６）と、夫々の上縁板（５，６）の内端から下方へ折れ曲がる内面板（７，８）とを有し、
且つ、前記底板（１）の四隅コーナーにおいて該コーナー部と前後左右の外面板（３，４）の両側端から連設させて内側に折れ曲がる水漏れ防止用連設板（19…）と、前後の内面板（７）の両側端から内側に折れ曲がる補強板（21…）とを有し、
それら水漏れ防止用連設板（19…）と補強板（21…）を左右の内外面板（４，８）の間に確保される保冷空間（10）に折り曲げ収容することにより、箱本体（ａ）の強度を保持すると共に水漏れを防止するように形成してなり、
更に、上記前後左右の内面板（７，８）の下縁から上記上縁板（５，６）の幅方向と略同程度の幅にて折れ曲がる挿入片部（22，23）を設け、この挿入片部（22，23）を上記底板（２）に沿わせて外側に折り曲げることにより、夫々の内面板（７，８）の下向き折り曲げ状態の保持と、保冷空間（９，10）を前後左右の内外面板（７，３、８，４）と上縁板（５，６）とにより縦断面囲繞状に確保するように形成し、
更にまた、上記前後の内面板（７）とその両側の上記補強板（21…）との境部位に結合部（29）を設けると共に、左右の内面板（８）の両側端には結合片部（30）を設け、前後左右の内面板（７，８）を夫々の上縁板（５，６）の内端から下方へ折り曲げた時に前記係合片部（30）を係合部（29）に差込み係止させることにより、左右の内面板（７，８）の下方への折り曲げ状態の維持と箱本体の組み立て状態の定形維持とが成されるように形成したことを特徴とする紙製保冷箱。
【請求項２】
請求項１記載の補強板（21…）の上縁から上縁板（５，６）の幅方向と略同程度の幅にて外側に折れ曲がる保持片部（26…）を設け、前記補強板（21…）と共に保持片部（26…）を保冷空間（９，10）に折り曲げ収容させることにより、前記補強板（21…）と共に保冷空間（９，10）を定形維持するように形成したことを特徴とする紙製保冷箱。
【請求項３】
上記水漏れ防止用連設板（19…）は、前後左右の外面板（３，４）の幅方向と略同程度の長さを有し、底板（２）の四隅コーナー部からの対角線上に折畳み重合せしめた状態で、保冷空間（10）に補強板（21…）と共に折り曲げ収容されるように形成していることを特徴とする請求項１又は２記載の紙製保冷箱。
【請求項４】
上記補強板（21…）は、前後の内面板（７）の幅方向と略同程度の幅で且つ左右の内面板（８）の長さ方向の略半分程度の長さを有し、内側に折り曲げられた時に互いに対向し合う対向端（21ａ…）同士を突き合わせた状態で、保冷空間（10）に折り曲げ収容されるように形成していることを特徴とする請求項１乃至３いずれか1項記載の紙製保冷箱。
【発明の詳細な説明】
【０００１】
【発明の属する技術分野】
本発明は、魚貝類などの海産物、その他の野菜や果実などの各種生鮮物の運搬、保管などに用いる紙製保冷箱に係り、詳しくは段ボール紙や厚紙などの紙製板材からなる簡易組立て型の紙製保冷箱に関する。
【０００２】
【従来の技術】
魚貝類などの海産物を搬送する際の鮮度保持や、保管時の積み上げ荷重、運搬時等の落下衝撃等から保護するための保冷箱として、ウレタンフォームや発泡スチロール等からなる合成樹脂製保冷箱が幅広く用いられている。
【０００３】
この合成樹脂製保冷箱は、保冷性、耐強度、耐久性、そして衝撃吸収性などに優れている反面、使用後の処理に際して環境に対する悪影響などが懸念され、又、リサイクルが困難である等の理由から、現在ではその使用が制限される傾向にある。
そこで、この合成樹脂製保冷箱に替わるものとして、段ボール紙などにより組み立てられる紙製保冷箱が提案されている。
【０００４】
【発明が解決しようとする課題】
しかし乍ら、この紙製保冷箱は、前述の合成樹脂製保冷箱に比べると保冷能力、耐久性、そして衝撃吸収性などの面において劣り、実用に満足な効果が得らていない。例えば実開昭５５-１７３４８８号公報等において知られているように、二層壁構造の内面板と外面板との間の隙間に保冷、補強のための発泡スチロールを充填するなどの手段が採られていた。
【０００５】
本発明はこの様な従来事情に鑑みてなされたもので、その目的とする処は、合成樹脂製保冷箱と同程度の保冷機能、耐強度、耐久性に優れ、そして衝撃吸収性、積圧強度においても優れ、更には魚貝類などの海産物等と共に収容される氷が解けた場合でも水漏れの心配が無い等、特に氷を使用する魚介類等を搬送する際に好適な紙製保冷箱を提供することにある。
【０００６】
【課題を達成するための手段】
課題を達成するために本発明は、請求項１では、耐水性や撥水性などを有する紙製板材からなる一枚のシート基材により折り曲げ組み立てられる箱本体（ａ）と、紙製板材からなる蓋体（ｂ）とで構成され、箱本体（ａ）は、矩形状の底板（２）と、この底板の四辺から立ち上がる外面板（３，４）と、夫々の外面板（３，４）の上端から内側に折れ曲がる上縁板（５，６）と、夫々の上縁板（５，６）の内端から下方へ折れ曲がる内面板（７，８）とを有し、且つ、底板（１）の四隅コーナーにおいて該コーナー部と前後左右の外面板（３，４）の両側端から連設させて内側に折れ曲がる水漏れ防止用連設板（19…）と、前後の内面板（７）の両側端から内側に折れ曲がる補強板（21…）とを有し、それら水漏れ防止用連設板（19…）と補強板（21…）を左右の内外面板（４，８）の間に確保される保冷空間（10）に収容することにより、箱本体（ａ）の強度を保持すると共に水漏れを防止するように形成してなり、
更に、上記前後左右の内面板（７，８）の下縁から上記上縁板（５，６）の幅方向と略同程度の幅にて折れ曲がる挿入片部（22，23）を設け、この挿入片部（22，23）を上記底板（２）に沿わせて外側に折り曲げることにより、夫々の内面板（７，８）の下向き折り曲げ状態の保持と、保冷空間（９，10）を前後左右の内外面板（７，３、８，４）と上縁板（５，６）とにより縦断面囲繞状に確保するように形成し、
更にまた、上記前後の内面板（７）とその両側の上記補強板（21…）との境部位に結合部（29）を設けると共に、左右の内面板（８）の両側端には結合片部（30）を設け、前後左右の内面板（７，８）を夫々の上縁板（５，６）の内端から下方へ折り曲げた時に前記係合片部（30）を係合部（29）に差込み係止させることにより、左右の内面板（７，８）の折り曲げ状態と箱本体（ａ）の組み立て状態とを維持するように形成した紙製保冷箱にある。
【０００７】
斯かる請求項１記載の構成によれば、底板（２）の四辺には前後左右の内外面板（７，３、８，４）により確保された保冷空間（９，10）を有する周囲壁部が形成され、この周囲壁部は、底板（２）の四隅コーナー部を含めて前後左右の外面板（３，４）の幅方向と略同程度の長さにてその両側端から連設する水漏れ防止用連設板（19…）により一連に囲繞された一体壁構造に形成されることにより、保冷機能に優れ、仮に魚貝類などの海産物等と共に収容される氷が解けた場合でも水漏れの心配が無く、しかも、上記保冷空間（９，10）は、前後左右の内外面板（７，３、８，４）と上縁板（５，６）、そして挿入片部（22，23）とにより縦断面囲繞状に確保形成されることで、水漏れ防止用連設板（19…）と補強板（21…）とにより箱本体（ａ）の積圧強度が強化される。
つまり、保冷空間（９，10）の高さ方向の強度が、同保冷空間の縦断面囲繞構造に加えて同保冷空間に折り曲げ収容された漏れ防止用連設板（19…）と補強板（21…）とによる壁構造により、数個又は数十個を積み上げて保管、運搬する際の箱本体（ａ）の積圧強度が強化されるものである。
また、左右の内面板（８）は、両側端の係合片部（30）を、前後の内面板（７）の両側端に開口される係合部（29）に差込み係止させることで、上端板（６）の内縁からの下方への折り曲げ状態が維持され、しかも、前後左右の内面板（７，８）同士が、係合片部（30）と係合部（29）との係止連繋によって、底板（２）の四辺方向に一連に繋がる壁構造となることで、箱本体（ａ）の組み立て状態が確実に定形維持されると同時に箱本体（ａ）の積圧強度が更に強化されるものである。
【０００８】
又、請求項２では、前述請求項１記載の補強板（21…）の上縁から上縁板（５，６）の幅方向と略同程度の幅にて外側に折れ曲がる保持片部（26…）を設け、この保持片部（26…）を保冷空間（９，10）に折り曲げ収容させることにより、前記補強板（21…）と共に保冷空間（９，10）を定形維持するように形成した紙製保冷箱にある。
【０００９】
斯かる請求項２記載の構成によれば、補強板（21…）共に保持片部（26…）を保冷空間（10）に折り曲げ収容することにより、保持片部26…は、補強板21…及び挿入片部（22，23）と共に保冷空間（９，10）の特に幅方向を定形維持する。これにより、箱本体（ａ）内に収容される魚貝類などの海産物等によって内面板が外側に膨らむ等の箱崩れを起す心配の無い耐強度、耐久性に優れた壁強化構造の箱本体（ａ）を組み立てることができる。
【００１０】
また、本発明では、上記水漏れ防止用連設板（19…）を、前後左右の外面板（３，４）の幅方向と略同程度の長さにて夫々の外面板に一体に連設し、底板（２）の四隅コーナー部から対角線上に設けた折れ線（24…）から前後左右の外面板（７，８）を折り曲げ立ち上げる際に二つ折りに折畳み重合せしめた状態で、前記保冷空間（10）に収容するように形成した紙製保冷箱にある（請求項３）。
又、前述の請求項１乃至３何れか1項記載の補強板（21…）を、前後の内面板（７）の幅方向と略同程度の幅で且つ左右の内面板（８）の長さ方向の略半分程度の長さにて前後の内面板に連設し、内側に折り曲げられた時に互いに対向し合う対向端（21ａ）同士を突き合わせた状態で、前記保冷空間（10）に折り曲げ収容するように形成してなることを特徴とする紙製保冷箱にある（請求項４）。
【００１１】
斯かる請求項３及び４に記載の構成によれば、水漏れ防止用連設板（19…）により一連に囲繞された周囲一体壁構造であることによる水漏れ防止に加えて、保冷空間（10）においては水漏れ防止用連設板（19…）が夫々の対角折れ線（24…）より二つ折りに折畳み重合せしめた状態、又、内面板（７）の幅方向と略同程度の幅を有する補強板（21…）が互いに対向し合う対向端（21ａ）同士を突き合わせた状態で収容されていることより、保冷空間（10）を確保すると共に、箱本体（ａ）を保持強化する。
つまり、数個又は数十個を積み上げて保管、運搬する際の積圧強度が更に強化され、しかも、耐久性、衝撃吸収性に優れた壁構造を有する箱本体（ａ）を組み立てることができる。
【００１４】
【発明の実施の形態】
本発明の実施の具体例を図面に基づいて説明する。
図１は本発明紙製保冷箱の実施形態の一例を示す箱本体ａの展開図であり、この箱本体ａは紙製板材、例えば耐水性や撥水性などを有する段ボール紙からなるシート基材１を型抜きし、且つ、複数箇所の所要部位に内側、外側に折り曲げる夫々の折れ線を設けることにより形成する。
【００１５】
シート基材１は、図１に示すように、平面矩形状を呈する底板２と、この底板２の四辺夫々の折れ線11，12から立ち上げる前後左右の外面板３，４と、夫々の外面板３，４の上端折れ線13，14から内側に折り曲げる上縁板５，６と、夫々の上縁板５，６の内縁折れ線15，16から下方へ折り曲げり前後左右の外面板３，４との間に保冷空間９，10を確保する前後左右の内面板７，８を有する。
【００１６】
又、シート基材１は、底板２の四隅コーナーにおいて該コーナー部と前後左右の外面板３，４の夫々の両側縁折れ線17，18から連設させて内側に折れ曲がる水漏れ防止用連設板19…と、そして前後の内面板７，８の両側端折れ線20から内側に折れ曲がる補強板21…を有し、それら水漏れ防止用連設板19…と補強板21…を左右の内外面板8，4の間に確保される保冷空間10に収容することにより、箱本体ａの強度を保持すると共に水漏れを防止するように形成してある。
又、シート基材１は、前後左右の内面板７，８の下縁折れ線27，28から前記上縁板５，６の幅方向と略同程度の幅にて折れ曲がる挿入片部22，23を有し、この挿入片部22，23を底板１に沿わせて外側に折り曲げて保冷空間９，10の底部に挿入させることにより、夫々の内面板７，８の下向き折り曲げ状態の保持と、当該保冷空間９，10を内外面板７，３、８，４と上縁板５，６とにより縦断面囲繞状に形成することで、前述の水漏れ防止用連設板19…と補強板21…とにより積圧強度を更に強化する構造としてなる。
【００１７】
水漏れ防止用連設板19…は、底板２の四辺折れ線11，12から一体に立ち上げる前後左右の外面板３，４の両側端を、底板２の四隅コーナー部を含めて一体に連設することにより、箱本体ａ内から外部への水漏れを防ぐ。そして、左右の内外面板８，４の間に確保される保冷空間10に収容されることで、該保冷空間10の高さ方向の強度を強化するものである。
この水漏れ防止用連設板19…は、前後左右の外面板３，４の幅方向と略同程度の長さにて該外面板３，４に連設し、且つ底板２の四隅コーナー部からの対角線上に設けた対角折れ線24…から二つ折りに折畳み重合せしめるように内側に折り曲げることにより、保冷空間10に収容し得るように形成してある。
【００１８】
補強板21…は、左右の内外面板８，４の間に確保される保冷空間10に収容されることで、該保冷空間10の高さ方向の強度を強化（積圧強度を強化）すると同時に箱本体ａの開口短辺方向を左右の内外面板８，４と共に定形維持するものである。
この補強板21…は、前後の内面板７，８の幅方向と略同程度の幅で且つ左右の内面板８の長さ方向の略半分程度の長さにて前後の内面板７に連設し、内側に折り曲げた時に互いに対向し合う対向端21ａ…同士を突き合わせた状態で保冷空間10に収容し得るように形成してある（図６参照）。
又、この補強板21…の上縁折れ線25…から前記上縁板６の幅方向と略同程度の幅にて外側に折れ曲がる保持片部26…を連設し、前記保冷空間10に収容することにより、補強板21…と共に保冷空間10を確保し尚且つ維持し得るように形成してある（図８参照）。
【００１９】
図中29…は、前後の内面板７とその両側の補強板21との境部位、つまり折れ線20に沿わせた一部に前記保冷空間９に抜けるように設けた結合部であり、左右の内面板８の両側端に設けた結合片部30を、前後左右の内面板７，８を夫々の上縁板５，６の内端折れ線15，16から下方へ折り曲げた時に差込み係止（結合）し得るように形成してある。
而して、この様に、前後左右の内面板（７，８）を夫々の上縁板（５，６）の内端から下方へ折り曲げた時に前記係合片部（30）を係合部（29）に差込み係止させることにより、前後左右の内面板（７，８）同士が、係合片部（30）と係合部（29）との係止連繋によって、底板（２）の四辺方向に一連に繋がる壁構造となることで、箱本体（ａ）の組み立て状態が確実に定形維持されると同時に箱本体（ａ）の積圧強度が更に強化されるものである。
これによって、数個又は数十個を積み上げて保管、運搬する際の積圧強度が更に強化され、しかも、耐久性、衝撃吸収性に優れた壁構造を有する箱本体（ａ）を組み立てることができる。
【００２０】
次に、以上の如く構成したシート基材１を用いた箱本体ａの組立て手順について説明する。
図１に示す展開図の状態から、まず始めに、図２に示すように、前後の内面板７の下縁折れ線27から挿入片部22を折り曲げると共に、同内面板７を上縁板５の内縁折れ線15から折り曲げ、次いで該上縁板５を前後の外面板３の上縁折れ線13から折り曲げた後に、同外面板３を底板２の前後辺折れ線11から折り曲げ立ち上げる。
この時、前後の内面板７の下縁折れ線27から折り曲げた前述の挿入片部22を底板２に沿って前後の内外面板７，３の間に確保される保冷空間９の底部に挿入することにより、前後の内面板７の下向き折り曲がり状態が挿入片部22により維持され、前後の内外面板７，３の間に保冷空間９が確保される（図７参照）。
【００２１】
次に、各補強板21…の上縁折れ線25…から各保持片部26…を外側に折り曲げると共に、各補強板21…を前後の内面板７の両側端折れ線20から内側に折り曲げる。
これにより、図３に示すように、前後の内面板７と補強板21…との折れ線20に沿う底板部位には係合部29が開口すると共に、互いに対向し合う前後の内面板７の両側端折れ線20から内側に折り曲げられた補強板21の対向端21ａ同士が突き合わさった状態となる。
【００２２】
次に、図３に示したように、前後の外面板３の両側端折れ線17から水漏れ防止用連設板19を内側に、対角折れ線24を境に折畳み重合せしめるように折り曲げながら、左右の外面板４を底板２の左右辺折れ線12から折り曲げ立ち上げる。
これにより、前後左右の外面板３，４に連設する水漏れ防止用連設板19は図６及び図７に示すように、同外面板３，４と略同程度の高さにて対角折れ線24から折畳み重合せしめられた状態で、対向端21ａ同士を突き合わせた状態で既に起立存在する前述の補強板21の外側に位置して左右の保冷空間10に収容されるものである。
【００２３】
次に、図４に示したように、左右の内面板８の下縁折れ線28から挿入片部23を折り曲げると共に、左右の外面板４の上端折れ線14から上縁板６を内側に折り曲げ、次いで、該上縁板６の内端折れ線16から左右の内面板８を下方へ折り曲げる。
この時、左右の内面板８の下縁折れ線28から折り曲げた前述の挿入片部23を底板２に沿って補強板21の下縁から左右の内外面板８，４の間に確保される保冷空間10の底部に収容すると共に、当該内面板８の両側端の係合片部30を前後の内面板７の両側端に開口する係合部29を差込み係止させることにより、左右の内外面板８，４の間に保冷空間10が確保されると共に、箱本体ａの組立てが完了する。即ち、左右の内面板８の下向き折り曲がり状態が挿入片部23により維持され、且つ、この状態は内面板８の両側端の係合片部30が前述の係合部29に差込み係止されるその係止力により確実に維持された状態（図６、図７及び図８の状態）で箱本体ａの組立てが完成となる（図５参照）。
【００２４】
尚、前述した箱本体ａの組立て手順は一例にすぎなく、これに限定されるものではない。
【００２５】
蓋体ｂは、箱本体ａの開口部を覆う程度の大きさに前述の耐水性や撥水性などを有する段ボール紙から型抜き形成した蓋部31と、この蓋部31の四辺には箱本体ａの開口部外周縁を被嵌する縁片部32とを有し、又、蓋部31の裏側には箱本体ａの内寸法と略同寸とする前述の段ボール紙を一枚乃至数枚を張り付けることで形成した嵌合部33を有し、この嵌合部33により箱本体ａを密閉状に被蓋し得るように形成してある（図５、図７及び図８の二点鎖線参照）。
尚、図示を省略しているが、この蓋体ｂの蓋部31と嵌合部33との間に保冷空間を確保せしめて、箱本体ａと同様に保冷機能（能力）の向上を図るようにするも勿論自由である。
【００２６】
【発明の効果】
本発明の紙製保冷箱は叙上の如く構成してなることから下記の作用効果を奏する。
請求項１記載の構成により、底板の四辺に保冷空間を有する周囲壁部が形成され、又、この周囲壁部は底板の四隅コーナー部を含めて前後左右の外面板の両側端から連設する水漏れ防止用連設板により一連に囲繞された一体壁構造であることで、保冷機能を有し、仮に魚貝類などの海産物等と共に収容される氷が解けた場合でも水漏れの心配が無く、氷を入れて搬送する魚貝類などの搬送に好適に用いることができ、しかも、上記保冷空間は、前後左右の内外面板と上縁板、そして挿入片部とにより縦断面囲繞状に確保形成されることで、水漏れ防止用連設板と補強板とにより箱本体の積圧強度が強化される。
つまり、保冷空間の高さ方向の強度が、同保冷空間の縦断面囲繞構造に加えて同保冷空間に折り曲げ収容された漏れ防止用連設板と補強板とによる壁構造により、数個又は数十個を積み上げて保管、運搬する際の箱本体の積圧強度が強化されるものである。
また、左右の内面板は、両側端の係合片部を、前後の内面板の両側端に開口される係合部に差込み係止させることで、上端板の内縁からの下方への折り曲げ状態が維持され、しかも、前後左右の内面板同士が、係合片部と係合部との係止連繋によって、底板の四辺方向に一連に繋がる壁構造となることで、箱本体の組み立て状態が確実に定形維持されると同時に箱本体の積圧強度が更に強化されるものである。
【００２７】
又、請求項２記載の構成により、前述の請求項１記載の作用に加えて、補強板（21…）共に保持片部を保冷空間に折り曲げ収容することにより、保持片部は、補強板21…及び挿入片部と共に保冷空間の特に幅方向を定形維持する。これにより、箱本体内に収容される魚貝類などの海産物等によって内面板が外側に膨らむ等の箱崩れを起す心配の無い耐強度、耐久性に優れた壁強化構造の箱本体を組み立てることができる。
【００２８】
また、請求項３及び請求項４記載の構成により、前述の請求項１及び２記載の作用に加えて、水漏れ防止用連設板が夫々の対角折れ線より二つ折りに折畳み重合せしめた状態、又、補強板が互いに対向し合う対向端同士を突き合わせた状態で収容されていることで、保冷空間を確実に確保すると共に、箱本体を保持強化し得る。つまり、数個又は数十個を積み上げて保管、運搬する際の積圧強度が強化され、しかも、耐久性、衝撃吸収性に優れた壁構造を有する箱本体を組み立てることができる。
また、前後の内外面板と上縁板、そして挿入片部とにより保冷空間が縦断面囲繞状に確保されるので、前述の水漏れ防止用連設板と補強板とにより保冷空間の確保と箱本体の積圧強度を更に強化し得る。
つまり、数個又は数十個を積み上げて保管、運搬する際の積圧強度が更に強化され、しかも、耐久性、衝撃吸収性に優れた壁構造を有する箱本体（ａ）を組み立てることができる。
【図面の簡単な説明】
【図１】  本発明紙製保冷箱の実施形態の一例を示す箱本体の展開斜視図
【図２】  箱本体の組立て手順を示す同斜視図
【図３】  箱本体の組立て手順を示す同斜視図
【図４】  箱本体の組立て手順を示す同斜視図
【図５】  組立てが完了した箱本体、そして蓋体を示す斜視図
【図６】  箱本体の一部を拡大して示す横断平面図
【図７】  一部を更に切欠して示す同縦断側面図
【図８】  一部を示す同縦断正面図
【符号の説明】
ａ：箱本体          １：シート基材
２：底板        ３，４：外面板
５，６：上縁板      ７，８：内面板
９，10：保冷空間     19…：水漏れ防止用連設板
21…：補強板       21ａ：対向端
22，23：挿入片部     26…：保持片部
29：係合部         30：係合片部
ｂ：蓋体
【図１】
0003691406.tif 000002
【図２】
0003691406.tif 000003
【図３】
0003691406.tif 000004
【図４】
0003691406.tif 000005
【図５】
0003691406.tif 000006
【図６】
0003691406.tif 000007
【図７】
0003691406.tif 000008
【図８】
0003691406.tif 000009